(57)【要約】【課題】操作性が良好で設置状態を確実に維持することができる逆取付用トップピボット装置を得る。【解決手段】逆取付用トップピボット装置は、ドアの上面部に設置される基板１０と、基板１０が有する軸受部１１に揺動軸１２を介して設置されることにより、揺動軸１２を中心としてシーソー動作を行うピボットアーム１３と、ピボットアーム１３の一端側に設置され、一端側を上下動させることによってピボットアーム１３のシーソー動作を調節する調節機構部１５と、基板１０が有する軸ケース１８に摺動自在に収納設置されるとともにピボットアーム１３の他端側に係止されることにより、ピボットアーム１３のシーソー動作に伴ってドアの上面から突出・収納されるトップピボット軸１７とを備える。そして、調節機構部１５は、軸表面にねじ溝を備えるねじ軸１６ａと、ねじ溝に螺合するナット１６ｂとから構成される。【選択図】図２Ａ
2007107274.tif 000002
【特許請求の範囲】
【請求項１】
ドアの上面部に設置される基板と、
前記基板が有する軸受部に揺動軸を介して設置されることにより、前記揺動軸を中心としてシーソー動作を行うピボットアームと、
前記ピボットアームの一端側に設置され、前記一端側を上下動させることによって前記ピボットアームのシーソー動作を調節する調節機構部と、
前記基板が有する軸ケースに摺動自在に収納設置されるとともに前記ピボットアームの他端側に係止されることにより、前記ピボットアームのシーソー動作に伴って前記ドアの上面から突出・収納されるトップピボット軸と、
を備える逆取付用トップピボット装置であって、
前記調節機構部は、軸表面にねじ溝を備えるねじ軸と、前記ねじ溝に螺合するナットとから構成されており、
前記ねじ軸は、前記ピボットアームの一端側と係止する係止部を軸端に備えるとともに、係止部設置側とは逆の軸端が前記基板に設けられた軸孔に導通自在とされることによって上下動可能とされ、さらに、
前記ナットは、回転方向のみ回動可能とされた状態で前記基板上に設置されていることを特徴とする逆取付用トップピボット装置。
【請求項２】
請求項１に記載の逆取付用トップピボット装置において、
前記ナットの外周面には、操作用の凸部が形成されていることを特徴とする逆取付用トップピボット装置。
【請求項３】
請求項１に記載の逆取付用トップピボット装置において、
前記ナットの外周面には、操作用の凹部が形成されていることを特徴とする逆取付用トップピボット装置。
【請求項４】
請求項１〜３のいずれか１項に記載の逆取付用トップピボット装置において、
前記ナットを操作して前記ねじ軸を下方向に移動させることによって前記トップピボット軸を前記ドアの上面から突出させたとき、
前記ねじ軸には、前記トップピボット軸の戻り止め、および、軸出し確認のためのストッパ部材を設置可能であることを特徴とする逆取付用トップピボット装置。
【請求項５】
請求項１〜４のいずれか１項に記載の逆取付用トップピボット装置がドアの上面部に設置されるとともに、前記トップピボット軸が嵌入されるボス孔を有するボス孔付基板が上枠の下面部に設置されることを特徴とする逆取付用トップピボット装置付ドア装置。
【発明の詳細な説明】
【技術分野】
【０００１】
本発明は、ドアを吊り込み設置する際に操作される逆取付用トップピボット装置およびこれを有するドア装置に係り、特に、装置の操作性を改善した新たな逆取付用トップピボット装置およびこれを有するドア装置に関するものである。
【背景技術】
【０００２】
従来のトップピボット装置１００は、例えば、図６に示されるような構成を有しており、基板１１０と、基板１１０が有する軸受部１１１に揺動軸１１２を介して設置されることにより、揺動軸１１２を中心としてシーソー動作を行うピボットアーム１１３と、ピボットアーム１１３の一端側に設置され、一端側を上下動させることによってピボットアーム１１３のシーソー動作を調節するねじ軸１１４と、基板１１０が有する軸ケース１１５に摺動自在に収納設置されるとともにピボットアーム１１３の他端側に係止されることにより、ピボットアーム１１３のシーソー動作に伴って上枠１２０から突出・収納されるトップピボット軸１１６と、を備える装置である。
【０００３】
一方、トップピボット装置１００と対向する位置には、トップピボット軸１１６が嵌入されるボス孔を有するボス孔付基板１３１が設置されており、通常、トップピボット装置１００が上枠１２０の下面部に、ボス孔付基板１３１がドア１３０の上面部に取り付けられている。
【０００４】
そして、トップピボット軸１１６を突出・収納させることによって、ドア１３０の吊り込み作業を行うことができ、このトップピボット軸１１６の突出・収納動作は、ねじ軸１１４に形成されたプラス溝やマイナス溝を利用し、ドライバーなどの工具を用いてねじ軸１１４を回転させることによって行うことができるようになっている。
【０００５】
ところが、上枠１２０に十分な上枠見付がない場合は、図７に示すように、トップピボット装置１００がドア１３０側の上面部に取り付けられるとともに、ボス孔付基板１３１が上枠１２０側の下面部に取り付けられた逆取付タイプとして使用される場合がある。
【０００６】
このような逆取付タイプとして用いられる従来のトップピボット装置１００においては、元々上枠見付が十分にとれない設置条件にあるために上枠１２０側で十分な作業スペースを確保することが困難であり、しかもドア１３０の上面部側からドライバーなどの工具を操作してねじ軸１１４を回転させなければならない関係上、逆取付タイプのトップピボット装置１００を用いたドア１３０の吊り込み作業は、非常に困難を伴うものであった。
【０００７】
そこで、従来から、このような逆取付タイプのトップピボット装置１００の操作性を向上させるために、従来のトップピボット装置に種々の改良を施す試みが成されている。例えば、下記特許文献１には、特殊な工具や治具等を必要とせずに確実に吊り込み作業を行うことができるトップピボット装置の操作機構が開示されている。かかる作用効果を発揮することができるトップピボット装置の具体的な構成としては、ねじ軸（調整ねじ）の中間部若しくは下部に、ねじ軸（調整ねじ）を締め付け操作するための面や溝などの係合手段を設けるとともに、ドア上面部の所定位置に操作窓を設け、ねじ軸（調整ねじ）の操作を操作窓から差し込んだ操作具によって係合手段を介して行うように構成するというものである。
【０００８】
【特許文献１】特開２０００−１９２７１９号公報
【発明の開示】
【発明が解決しようとする課題】
【０００９】
しかしながら、上記特許文献１に記載のトップピボット装置は、十分な操作性の向上を果たしたとは言い難いものである。すなわち、ねじ軸（調整ねじ）の中間部若しくは下部に設けられる係合手段は、その係合方向が下方向を向いている。一方、操作具を差し込む操作窓は横方向に開口しており、横方向に開口する操作窓から操作具を挿入し、下方向を向く係合手段を介してねじ軸（調整ねじ）を操作することには、非常に困難を伴うことが予想される。
【００１０】
さらに、上記特許文献１に記載のトップピボット装置では、ねじ軸（調整ねじ）の操作中に操作対象であるトップピボット軸がどの位置まで突出・収納しているか確認することが困難であり、また、設置後にねじ軸（調整ねじ）の弛みが発生していないかを操作窓等から確認することは、非常に困難である。したがって、上記特許文献１に記載のトップピボット装置は、必ずしも確実な吊り込み作業を行うことができるというものではない。
【００１１】
本発明は、上述した課題の存在に鑑みて成されたものであって、その目的は、操作性が良好で確実なドアの吊り込み作業を実現することができ、しかも設置状態を確実に維持することが可能な逆取付用トップピボット装置を提供することにある。
【課題を解決するための手段】
【００１２】
以下、本発明について説明する。なお、本発明の理解を容易にするために添付図面の参照番号を括弧書きにて付記するが、それにより本発明が図示の形態に限定されるものではない。
【００１３】
本発明に係る逆取付用トップピボット装置は、ドア（１３０）の上面部に設置される基板（１０）と、前記基板（１０）が有する軸受部（１１）に揺動軸（１２）を介して設置されることにより、前記揺動軸（１２）を中心としてシーソー動作を行うピボットアーム（１３）と、前記ピボットアーム（１３）の一端側に設置され、前記一端側を上下動させることによって前記ピボットアーム（１３）のシーソー動作を調節する調節機構部（１５）と、前記基板（１０）が有する軸ケース（１８）に摺動自在に収納設置されるとともに前記ピボットアーム（１３）の他端側に係止されることにより、前記ピボットアーム（１３）のシーソー動作に伴って前記ドア（１３０）の上面から突出・収納されるトップピボット軸（１７）と、を備える逆取付用トップピボット装置であって、前記調節機構部（１５）は、軸表面にねじ溝を備えるねじ軸（１６ａ）と、前記ねじ溝に螺合するナット（１６ｂ）とから構成されており、前記ねじ軸（１６ａ）は、前記ピボットアーム（１３）の一端側と係止する係止部（１６ｃ）を軸端に備えるとともに、係止部（１６ｃ）設置側とは逆の軸端が前記基板（１０）に設けられた軸孔（１９）に導通自在とされることによって上下動可能とされ、さらに、前記ナット（１６ｂ）は、回転方向のみ回動可能とされた状態で前記基板（１０）上に設置されていることを特徴とする。
【００１４】
本発明に係る逆取付用トップピボット装置において、前記ナット（１６ｂ）の外周面には、操作用の凸部（３０）が形成されていることとすることができる。
【００１５】
また、本発明に係る逆取付用トップピボット装置において、前記ナット（１６ｂ）の外周面には、操作用の凹部（４０）が形成されていることとすることができる。
【００１６】
以上のような本発明に係る逆取付用トップピボット装置において、前記ナット（１６ｂ）を操作して前記ねじ軸（１６ａ）を下方向に移動させることによって前記トップピボット軸（１７）を前記ドア（１３０）の上面から突出させたとき、前記ねじ軸（１６ａ）には、前記トップピボット軸（１７）の戻り止め、および、軸出し確認のためのストッパ部材（５０）を設置可能であることとすることが好適である。
【００１７】
なお、本発明に係る逆取付用トップピボット装置をドア（１３０）の上面部に設置するとともに、前記トップピボット軸（１７）が嵌入されるボス孔を有するボス孔付基板（１３１）を上枠（１２０）の下面部に設置することによって、逆取付用トップピボット装置付のドア装置を実現することができる。
【００１８】
また、上記発明の概要は、本発明の必要な特徴の全てを列挙したものではなく、これらの特徴群のサブコンビネーションもまた発明となり得る。
【発明の効果】
【００１９】
本発明によれば、操作性が良好で確実なドアの吊り込み作業を実現することができ、しかも設置状態を確実に維持することが可能な逆取付用トップピボット装置およびこれを有するドア装置を提供することができる。
【発明を実施するための最良の形態】
【００２０】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２１】
図１は、本実施形態に係る逆取付用トップピボット装置の外観上面図である。また、図２Ａおよび図２Ｂは、図１におけるα−α断面を示す縦断面正面図であり、特に、図２Ａはトップピボット軸が突出した状態を示し、図２Ｂはトップピボット軸が収納された状態を示している。なお、従来技術で示した部材と同一又は類似する部材については、同一符号を付しあるいは図示を略すことによって説明を省略する。
【００２２】
図１乃至図２Ｂで示すように、本実施形態に係る逆取付用トップピボット装置は、ドア１３０の上面部に設置される基板１０と、シーソー動作自在に設置されるピボットアーム１３、ピボットアーム１３のシーソー動作を調節する調節機構部１５、そして、ピボットアーム１３のシーソー動作に伴ってドア１３０の上面部から突出・収納されるトップピボット軸１７を主な構成部材として構成されている。
【００２３】
基板１０は、本実施形態に係る逆取付用トップピボット装置の取付基準面となる部材であり、ドア１３０の上面部に設置されることになる。また、基板１０は、中央部から少しずれた場所に軸受部１１を有しており、この軸受部１１は、後述するピボットアーム１３と揺動軸１２を介して接続することにより、ピボットアーム１３のシーソー動作を実現している。さらに、基板１０は、トップピボット軸１７をその内部で摺動自在に収納することができる軸ケース１８を備えている。
【００２４】
ピボットアーム１３は、基板１０が有する軸受部１１に揺動軸１２を介して設置されることにより、揺動軸１２を中心としてシーソー動作を行う部材である。ピボットアーム１３の一端側（図２Ａおよび図２Ｂの右側）には、この一端側を上下動させることによってピボットアーム１３のシーソー動作を調節する調節機構部１５が設置されている。一方、ピボットアーム１３の他端側（図２Ａおよび図２Ｂの左側）には軸ケース１８に収納設置されたトップピボット軸１７が係合しており、このトップピボット軸１７は、ピボットアーム１３のシーソー動作に伴ってドア１３０の上面部から突出・収納できるようになっている。
【００２５】
したがって、本実施形態に係る逆取付用トップピボット装置では、調節機構部１５を操作することによってピボットアーム１３の一端側（図２Ａおよび図２Ｂの右側）を下方向に傾動させると、トップピボット軸１７はドア１３０の上面部から突出することになる（図２Ａの状態参照）。逆に、調節機構部１５を操作することによってピボットアーム１３の一端側（図２Ａおよび図２Ｂの右側）を上方向に傾動させると、トップピボット軸１７は軸ケース１８内に収納され、その先端部はドア１３０の上面部と面一、あるいはそれより低いレベルに位置することになる（図２Ｂの状態参照）。
【００２６】
なお、本実施形態に係る逆取付用トップピボット装置では、ピボットアーム１３の他端側（図２Ａおよび図２Ｂの左側）が尖形状１３ａに形成されており、この尖形状１３ａがトップピボット軸１７に形成される係合孔１７ａに係合する構成を採用している。そして、ピボットアーム１３のシーソー動作範囲は、軸ケース１８に形成された開口部１８ａの開口幅によって規定されている。したがって、トップピボット軸１７の突出・収納動作範囲は、開口部１８ａの開口幅の設定によって決定することができる。
【００２７】
次に、本実施形態に係る逆取付用トップピボット装置の特徴部分である調節機構部１５について詳細に説明する。本実施形態に係る調節機構部１５は、軸表面にねじ溝を備えるねじ軸１６ａと、ねじ溝に螺合するナット１６ｂとから構成されている。
【００２８】
この調節機構部１５を構成する部材のうち、ねじ軸１６ａは、ピボットアーム１３の一端側（図２Ａおよび図２Ｂの右側）と係止する球形状をした係止部１６ｃを軸端に備えるとともに、係止部１６ｃ設置側とは逆の軸端が基板１０に設けられた軸孔１９に導通自在とされることによって上下動可能とされる部材である。また、ねじ軸１６ａは、図２Ｃにおいて示されるように、ねじ溝を形成するねじ山の一部がねじ軸方向にカットされた形状を有している。そして、ねじ軸１６ａが導通する枠体１６ｄの孔形状１６ｅが、ねじ山をカットされたねじ軸１６ａの横断面形状と略同じ形状に形成されているため、ねじ軸１６ａのカット面と枠体１６ｄの孔形状１６ｅとが協働してねじ軸１６ａの回り止めを実現している。
【００２９】
なお、上述したねじ軸１６ａのカット面および枠体１６ｄの孔形状１６ｅの構成については、ねじ軸１６ａの回り止めを実現できるものであればどのようなものを採用しても良い。例えば、図２Ｄにおいて示すように、ねじ軸１６ａのカット面を複数形成し、かかる複数のカット面に対応する孔形状１６ｆを備えた枠体１６ｄを採用することも可能である。また、図２Ｅにおいて示すように、ねじ軸１６ａに対してねじ軸方向に延びる凹部を形成し、この凹部に適度の隙間を持って入り込む凸部１６ｇを枠体１６ｄ側に形成するようにした構成を採用することも可能である。図２Ｃないし図２Ｅに例示する構成を採用することによって、ねじ軸１６ａの回り止めが確実に成されてねじ軸１６ａのスムーズな上下動作が可能となり、ひいては本実施形態に係るトップピボット軸１７のスムーズな突出・収納動作が実現する。
【００３０】
一方のナット１６ｂは、回転方向のみ回動可能とされた状態で基板１０上に設置される部材である。具体的には、ねじ軸１６ａに螺合した状態で基板１０上に設置された枠体１６ｄ内に設置されており、ねじ軸１６ａの軸中心を回転中心として回転動作のみが規制されない状態となっている。
【００３１】
したがって、本実施形態に係る調節機構部１５では、ナット１６ｂを水平方向に回転させることによってねじ軸１６ａが上下方向に移動することになるので、ねじ軸１６ａの上下動に応じてピボットアーム１３がシーソー動作を行い、トップピボット軸１７の突出・収納動作が実現することになる。なお、トップピボット軸１７の突出・収納動作は、ナット１６ｂの回転方向によって選択することができる。すなわち、一般的なねじ軸１６ａのねじ溝は右ねじに切られているので、図２Ａおよび図２Ｂに示すように逆取付用トップピボット装置を正面から見たとき、ナット１６ｂを右方向に回転させるとトップピボット軸１７は上方向に移動して軸ケース１８から突出し、ナット１６ｂを左方向に回転させるとトップピボット軸１７は下方向に移動して軸ケース１８内に収納されることになる。
【００３２】
なお、本実施形態に係る逆取付用トップピボット装置の場合も、従来技術に係るトップピボット装置と同様に、ドア１３０に操作窓を設けて操作することになるのであるが、操作窓から挿入される操作具は横方向から挿入され、操作対象となるナット１６ｂも同様に横方向にのみ回転移動するものであるから、従来技術と比べてその操作性は格段に向上することになる。
【００３３】
また、ナット１６ｂの外周面には、図３において示すような、操作用の凸部３０を複数設けることが好適である。すなわち、操作窓から挿入される操作具は、複数の凸部３０の間に嵌入することができるので、よりスムーズなナット１６ｂの回転動作が実現することになる。
【００３４】
ちなみに、ナット１６ｂの外郭形状には、あらゆるタイプのものを採用することが可能であり、例えば、図４に示すような複数の凹部４０を外周面に設けた構成とすることも可能である。ナット１６ｂの外周面に複数の凹部４０を設ければ、これら凹部４０に操作具を挿入することができるので、凸部３０の場合と同様に、スムーズなナット１６ｂの回転動作が実現する。
【００３５】
なお、上述した本実施形態に係る逆取付用トップピボット装置には、ストッパ部材５０を設置することが可能である。このストッパ部材５０は、トップピボット軸の戻り止め、および、軸出し確認のために設置される部材であり、ストッパ部材５０を設置することによって、従来技術に係る逆取付用トップピボット装置では不可能であったトップピボット軸１７の突出確認と調節機構部１５の状態維持を実現することができる。
【００３６】
このようなストッパ部材５０の具体的な構成と設置状態について、図面を用いて説明する。図５Ａは、本実施形態に係る逆取付用トップピボット装置の縦断面正面図であり、図２Ａの場合と同様、トップピボット軸が突出状態にある場合を示している。また、図５Ｂは、図５Ａで示した本実施形態に係る逆取付用トップピボット装置の外観下面図である。さらに、図５Ｃは、図５Ａにおけるγ−γ断面を示す横断面下面図であり、特に、ストッパ部材５０の取付状態を詳細に説明するための図である。
【００３７】
すなわち、ナット１６ｂを操作してねじ軸１６ａを下方向に移動させることによってトップピボット軸１７をドア１３０の上面から突出させた図５Ａの状態のとき、本実施形態に係るねじ軸１６ａの周囲には、ピボットアーム１３と枠体１６ｄに挟まれた場所にねじ軸１６ａのみのスペースが発生する。そして、このスペースと概略同じ幅を持つストッパ部材５０を設置することによって、トップピボット軸１７が所定の位置まで突出していることを確認することができる。また、ドア１３０設置時には、トップピボット軸１７は突出しているのであるから、ストッパ部材５０を設置することによって常に図５Ａで示す状態を維持することができる。したがって、ストッパ部材５０は、トップピボット軸１７の戻り止めの効果をも発揮することができる。
【００３８】
なお、ストッパ部材５０の設置状態は、ドア１３０に形成された開口窓から目視確認することができるので、逆取付用トップピボット装置の状態を容易に把握することが可能となる。
【００３９】
以上、本発明の好適な実施形態について説明したが、本発明の技術的範囲は上記実施形態に記載の範囲には限定されない。上記実施形態には、多様な変更又は改良を加えることが可能である。例えば、上述したストッパ部材５０は、ねじ軸１６ａを挟み込む２つの爪を持った部材として構成したが、ねじ軸１６ａに設置できるものであればどの様な形状の部材を採用しても良い。その様な変更又は改良を加えた形態も本発明の技術的範囲に含まれ得ることが、特許請求の範囲の記載から明らかである。
【図面の簡単な説明】
【００４０】
【図１】本実施形態に係る逆取付用トップピボット装置の外観上面図である。
【図２Ａ】図１におけるα−α断面を示す縦断面正面図であり、特に、トップピボット軸が突出した状態を示している。
【図２Ｂ】図１におけるα−α断面を示す縦断面正面図であり、特に、トップピボット軸が収納された状態を示している。
【図２Ｃ】図１におけるβ−β断面を示す横断面上面図である。
【図２Ｄ】図２Ｃで示したねじ軸の回り止めを実現する構成の変形例を示す図である。
【図２Ｅ】図２Ｃで示したねじ軸の回り止めを実現する構成の別の変形例を示す図である。
【図３】本実施形態に係るナットの形状を例示する図である。
【図４】本実施形態に係るナットの別の形状を例示する図である。
【図５Ａ】本実施形態に係る逆取付用トップピボット装置の縦断面正面図であり、図２Ａの場合と同様、トップピボット軸が突出状態にある場合を示している。
【図５Ｂ】図５Ａで示した本実施形態に係る逆取付用トップピボット装置の外観下面図である。
【図５Ｃ】図５Ａにおけるγ−γ断面を示す横断面下面図であり、特に、ストッパ部材の取付状態を詳細に説明するための図である。
【図６】従来のトップピボット装置を示す図であり、図中（ａ）は縦断面側面図を、図中（ｂ）は縦断面正面図を示している。
【図７】従来の逆取付用トップピボット装置を示す図であり、図中（ａ）は縦断面側面図を、図中（ｂ）は縦断面正面図を示している。
【符号の説明】
【００４１】
１０  基板、１１  軸受部、１２  揺動軸、１３  ピボットアーム、１３ａ  尖形状、１５  調節機構部、１６ａ  ねじ軸、１６ｂ  ナット、１６ｃ  係止部、１６ｄ  枠体、１６ｅ，１６ｆ  孔形状、１６ｇ  凸部、１７  トップピボット軸、１７ａ  係合孔、１８  軸ケース、１８ａ  開口部、１９  軸孔、３０  凸部、４０  凹部、５０  ストッパ部材、１００  トップピボット装置、１１０  基板、１１１  軸受部、１１２  揺動軸、１１３  ピボットアーム、１１４  ねじ軸、１１５  軸ケース、１１６  トップピボット軸、１２０  上枠、１３０  ドア、１３１  ボス孔付基板。
【図１】
2007107274.tif 000003
【図２Ａ】
2007107274.tif 000004
【図２Ｂ】
2007107274.tif 000005
【図２Ｃ】
2007107274.tif 000006
【図２Ｄ】
2007107274.tif 000007
【図２Ｅ】
2007107274.tif 000008
【図３】
2007107274.tif 000009
【図４】
2007107274.tif 000010
【図５Ａ】
2007107274.tif 000011
【図５Ｂ】
2007107274.tif 000012
【図５Ｃ】
2007107274.tif 000013
【図６】
2007107274.tif 000014
【図７】
2007107274.tif 000015